(57)【要約】【課題】複数のシリコンチューナを備える受信装置、及び受信基板において、シールドケースの材料を低減し、さらには製造コストの低減と受信基板の有効利用を図る。【解決手段】複数のシリコンチューナを覆うシールドケースを一体で成形し、１個の部品として搭載する。これにより成形過程で発生する抜き代を低減して、必要となる材料を低減する。単一の部品として受信基板に実装することにより、受信基板の製造コストを低減する。シールドケースを取付けるための受信基板上の孔を低減し、受信基板を有効に使用する。シールドケースに折り代と切欠きを設け、シールド効果を向上させる。【選択図】図１
2011254428.tif 000002
【特許請求の範囲】
【請求項１】
異なる放送方式に基づく複数の伝送信号を受信する受信装置であって、
受信した前記伝送信号を所定の周波数帯域に周波数変換して出力する複数のチューナ部と、
該複数のチューナ部を個別に外部からのノイズに対してシールドする一体のシールドケースと、
前記チューナ部と前記シールドケースを含む回路部品を搭載する回路基板
を有することを特徴とする受信装置。
【請求項２】
請求項１に記載の受信装置において、前記複数のチューナ部は、少なくも地上ディジタル放送用チューナ、及び衛星ディジタル放送用チューナを含むことを特徴とする受信装置。
【請求項３】
請求項１に記載の受信装置において、前記複数のチューナ部の各々は、半導体チップ化されたシリコンチューナであることを特徴とする受信装置。
【請求項４】
請求項１に記載の受信装置において、前記シールドケースは、前記複数のチューナ部における個別のチューナ部の境界を隔てるシールド部材に、前記シールドケースと一体で形成され前記回路基板に前記シールドケースを取付けるための取付け部を有することを特徴とする受信装置。
【請求項５】
請求項１に記載の受信装置において、前記シールドケースは、隙間の発生を防止するための折り代、または切欠きを有することを特徴とする受信装置。
【請求項６】
異なる放送方式に基づく複数の伝送信号を受信する受信装置の受信基板であって、
受信した前記伝送信号を所定の周波数帯域に周波数変換して出力する複数のチューナ部と、
該複数のチューナ部を個別に外部からのノイズに対してシールドする一体のシールドケース
を有することを特徴とする受信装置の受信基板。
【請求項７】
請求項６に記載の受信装置の受信基板において、前記複数のチューナ部は、少なくも地上ディジタル放送用チューナ、及び衛星ディジタル放送用チューナを含むことを特徴とする受信装置の受信基板。
【請求項８】
請求項６に記載の受信装置の受信基板において、前記複数のチューナ部の各々は、半導体チップ化されたシリコンチューナであることを特徴とする受信装置の受信基板。
【請求項９】
請求項６に記載の受信装置の受信基板において、前記シールドケースは、前記複数のチューナ部における個別のチューナ部の境界を隔てるシールド部材に、前記シールドケースと一体で形成され前記受信基板に前記シールドケースを取付けるための取付け部を有することを特徴とする受信装置の受信基板。
【請求項１０】
請求項６に記載の受信装置の受信基板において、前記シールドケースは、隙間の発生を防止するための折り代、または切欠きを有することを特徴とする受信装置の受信基板。
【発明の詳細な説明】
【技術分野】
【０００１】
本発明は受信装置、及び受信装置の受信基板に係り、特に放送信号を受信するチューナを囲うシールドケースの構成について工夫が為された受信装置、及び受信装置の受信基板に関するものである。
【背景技術】
【０００２】
例えばテレビジョン放送の受信装置において、受信アンテナで受信された電波信号を供給されるチューナ回路は、該電波信号を所定の周波数帯域に周波数変換し、放送局側で該電波信号に施した変調作用を復調したうえで、後段の信号処理回路に出力する。前記チューナ回路は、従来は箱型のシールドケースで全面を覆われた独立したチューナモジュールとして、受信回路基板に取付けられることが多い。このため、従来のチューナモジュールは通称で缶チューナと呼ばれることがある。前記シールドケースには、半導体部品、水晶発振器、コイル等の個別部品が内蔵されている。さらに各回路ブロックが互いにノイズで干渉することのないよう、回路ブロックごとに内部がシールド板で隔てられることが多い。
【０００３】
しかし最近は、チューナ回路が高集積化されるとともに小型化されている。前記した発振器やコイルも含め１チップ化された半導体部品を用いた、通称シリコンチューナが実用化され、これを受信回路基板に直接実装することが多くなっている。当初、シリコンチューナは携帯用の受信装置に適用されたが、現在はテレビジョン受信装置にも波及している。
【０００４】
シリコンチューナにおいても、外部からのノイズの影響を受けないようにするために、前記半導体部品を覆うためのシールドケースを前記受信回路基板に取付ける必要がある。
また、現在のテレビジョン受信装置はＢＳ／ＣＳ放送、地上ディジタル放送、さらには当面は地上アナログ放送の受信機能が必要である。ＢＳ放送（衛星ディジタル放送）とＣＳ放送（通信衛星放送）は比較的容易にチューナ回路を共用できるが、他の放送は別のチューナ回路を設ける必要がある。このため、前記シールドケースを考慮したうえで、複数のシリコンチューナの実装方法を検討する必要がある。
【０００５】
特許文献１においては、該特許文献の図４で示されるように複数のチューナを回路基板に取付けたうえで双方を一つのシールドケースで覆っている。双方のチューナ間の干渉については、双方のチューナで選局されたチャンネルの周波数が同一の場合にサブチューナの局部発振信号の生成を停止することにより、防止する技術を開示している。
【先行技術文献】
【特許文献】
【０００６】
【特許文献１】ＷＯ２００７／１２５７７５号公報
【発明の概要】
【発明が解決しようとする課題】
【０００７】
前記特許文献１が開示する技術は、シールドケースの数を低減するうえで有効であるが、前記したような局部発信信号の生成を停止する制御を要し、制御系が複雑となる。むしろ、複数のチューナの各々に対してシールドケースを設けながら、その材料を低減する方法が望まれる。
本発明の目的は前記した課題に鑑み、シールドケースの材料を低減した受信装置、及び受信装置の受信基板を提供することにある。
【課題を解決するための手段】
【０００８】
前記課題を解決するため本発明は、異なる放送方式に基づく複数の伝送信号を受信する受信装置であって、受信した前記伝送信号を所定の周波数帯域に周波数変換して出力する複数のチューナ部と、該複数のチューナ部を個別に外部からのノイズに対してシールドする一体のシールドケースと、前記チューナ部と前記シールドケースを含む回路部品を搭載する回路基板を有することを特徴としている。
また前記した受信装置において、前記複数のチューナ部は、少なくも地上ディジタル放送用チューナ、及び衛星ディジタル放送用チューナを含むことを特徴としている。
また前記した受信装置において、前記複数のチューナ部の各々は、半導体チップ化されたシリコンチューナであることを特徴としている。
また前記した受信装置において、前記シールドケースは、前記複数のチューナ部における個別のチューナ部の境界を隔てるシールド部材に、前記シールドケースと一体で形成され前記回路基板に前記シールドケースを取付けるための取付け部を有することを特徴としている。
また前記した受信装置において、前記シールドケースは、隙間の発生を防止するための折り代、または切欠きを有することを特徴としている。
【０００９】
さらに本発明は、異なる放送方式に基づく複数の伝送信号を受信する受信装置の受信基板であって、受信した前記伝送信号を所定の周波数帯域に周波数変換して出力する複数のチューナ部と、該複数のチューナ部を個別に外部からのノイズに対してシールドする一体のシールドケースを有することを特徴としている。
また前記した受信装置の受信基板において、前記複数のチューナ部は、少なくも地上ディジタル放送用チューナ、及び衛星ディジタル放送用チューナを含むことを特徴としている。
また前記した受信装置の受信基板において、前記複数のチューナ部の各々は、半導体チップ化されたシリコンチューナであることを特徴としている。
また前記した受信装置の受信基板において、前記シールドケースは、前記複数のチューナ部における個別のチューナ部の境界を隔てるシールド部材に、前記シールドケースと一体で形成され前記受信基板に前記シールドケースを取付けるための取付け部を有することを特徴としている。
また前記した受信装置の受信基板において、前記シールドケースは、隙間の発生を防止するための折り代、または切欠きを有することを特徴としている。
【発明の効果】
【００１０】
本発明によれば、シールドケースの材料を低減した受信装置、及び受信装置の受信基板を提供でき、材料資源の有効活用に寄与できるという効果がある。
【図面の簡単な説明】
【００１１】
【図１】本発明の一実施例におけるシールドケースの平面展開図である。
【図２】本発明の一実施例におけるシールドケースの概観図である。
【図３】本発明の一実施例におけるシールドケースの取付け状態を示す概観図である。
【図４】従来のシールドケースの平面展開図である。
【図５】従来のシールドケースの取付け状態を示す概観図である。
【図６】本発明の一実施例におけるシールドケースの抜き代を示す平面図である。
【図７】従来のシールドケースの抜き代を示す平面図である。
【図８】本発明の一実施例におけるシールドケースの第２の平面展開図である。
【図９】本発明の一実施例におけるシールドケースの第３の平面展開図である。
【図１０】本発明の一実施例におけるシールドケースの第４の平面展開図である。
【図１１】本発明の一実施例が適用される受信基板の一構成例の概略図である。
【発明を実施するための形態】
【００１２】
以下、本発明の実施例につき図面を用いて説明する。
まず、本実施例に係る受信回路基板の概略構成について図１１を参照して説明する。図１１は、本発明の一実施例が適用される受信回路基板の一構成例の概略図である。受信回路基板には、例えばＭＰＥＧ２方式で圧縮符号化されたデジタルテレビジョン放送信号を受信して復調するための複数の（ここでは２つの）シリコンチューナ１１１ａ及び１１１ｂ（図１１では点線で示されている）と、これらシリコンチューナ１１１ａ及び１１１ｂ覆う金属製のシールドケース１と、シリコンチューナ１１１ａ及び１１１ｂからの復調信号について誤り訂正をし、更に復号・伸張処理を行うデコーダ１１２と、デコーダで復号され伸張された信号に対してスケーリング（画素数変換）、フレームレート変換、コントラスト、及びブライトネス補正等を行って、例えば液晶パネルなどの表示部（図示せず）へ出力する信号処理回路１１３、及びこれら回路部品を制御するためのマイコン１１４が実装されている。
【００１３】
尚、図１１では各回路要素を電気的に接続するための配線パターンや抵抗、コンデンサなどの部品は省略してある。また、図１１では、デコーダ１１２、信号処理回路１１３、マイコン１１４をそれぞれ別の回路要素として図示しているが、これらのうち２つ或いは全てを１チップ化して構成もよい。
本実施例は、２つのシリコンチューナ１１１ａ及び１１１ｂをそれぞれ覆うためのシールドケース１を、一体化して構成したことを特徴とするものである。このシールドケース１の具体的構成について以下に説明する。
【００１４】
図１は、本発明の一実施例におけるシールドケース１の平面展開図である。材料となる金属板からプレスする際の抜き型の形状でもある。破線は折り加工により成形される際に、略９０度または１８０度の角度で折り曲げられる線を示す。１１ａ〜１１ｆは回路基板に取付ける際に用いるツメであり、ここではシールドケース１は６個のツメを有している。
【００１５】
図２は、本発明の一実施例におけるシールドケース１の概観図であり、図１の平面展開図から折り加工によりシールドケースを成形した状態を示している。即ち、本実施例では２個のシリコンチューナに対して別個の２個のシールドケースを備えるのではなく、２個分を１個に一体化したシールドケース１を備えることに特徴がある。
【００１６】
図３は、本発明の一実施例におけるシールドケース１の取付け状態を示す概観図であり、本実施例のシールドケース１が受信回路基板２に取付けられた状態を示している。シールドケース内において、その中央の境界（２枚の金属板が重なっている）の双方には、異なる外部クロックで動作する個々のシリコンチューナが受信回路基板２に取付けられている。双方のシリコンチューナはシールドケース１の作用により、ノイズによる妨害を受けないようにされている。先のツメ１１ａ〜１１ｆは、受信回路基板２に設けられた６個の貫通孔を通って、受信回路基板２の図示とは逆の面に設けられたグランドパターンにハンダ付けされる。もちろん、貫通孔を設けることなく受信回路基板２の図示する側の面に設けられたグランドパターンにハンダ付けされても良い。
なお、受信回路基板２のシールドケース１で覆った部分を除くスペースには、シリコンチューナが出力する受信信号を処理し、例えばディジタル放送の場合、例えば図１１に示されるように、チューナで受信し復調した放送信号を謝り訂正して復号し、表示部（図示せず）に出力するためのデコーダ１１２や信号処理回路、マイコン１１４等が搭載されている。
【００１７】
以上、図１〜図３で示した実施形態の特徴を明らかにするため、次に従来のシールドケースの例をあげて本実施例との違いを述べる。
図４は、従来のシールドケース１０の平面展開図である。
図５は、従来のシールドケース１０の取付け状態を示す概観図である。
【００１８】
これら従来の場合では、独立した１個のシールドケースが１個のシリコンチューナをシールドするよう構成される。このため、先に本実施例の図３で示したように２個のシリコンチューナをシールドする場合には、図５で示すようにシールドケース１０を２個備えることとなる。シールドケース１０は、回路基板に取付ける際に用いる４個のツメ１０１ａ〜１０１ｄを有している。これに伴い、ツメ１０１ａ〜１０１ｄを通すための受信回路基板２の貫通孔は８個必要になる。
【００１９】
次に、２個のシリコンチューナをシールドするためのシールドケースにおいて、図１〜図３に示した本実施例が図４、図５で示した従来例よりも優れている点を説明する。
図６は、本発明の一実施例におけるシールドケースの抜き代を示す平面図である。
図７は、従来のシールドケースの抜き代を示す平面図である。いずれも２個のシリコンチューナをシールドする際のシールドケース全体を示している。
【００２０】
図６において、本実施例のシールドケース１は、所定の大きさの金属板から図中の斜め線を付した抜き代１２（煩雑化を防ぐため番号は１箇所のみに付す）を除去することにより成形することができる。これに対して図７においては、従来のシールドケース１０を２個作成することになるため、やはり図中の斜め線を付した抜き代１０２を除去するほか、図中の縦線を付した部分が抜き代として追加される。
【００２１】
図中で横線を付した部分はツメとして利用されるが、図６の本実施例と比較すれば１０２ａで示す長方形、即ち図中で縦線と横線を付した部分だけ、本実施例よりも材料が増大していることが分かる。従って本実施例によれば、シールドケースの材料を低減した受信装置、及び受信基板を提供でき、材料資源の有効活用に寄与できるという効果がある。
なお、図６において、複数のチューナにおける個別のチューナの境界を隔てるシールド部材を加工して、受信回路基板２に対する取付け部となるツメが形成されている。即ちツメはシールドケースと一体で、材料を増加させないように形成されている。
【００２２】
また本実施例によれば、シールドケース１を搭載する受信装置、及び受信基板の製造コストを低減する効果がある。これは前記したシールドケースの材料の低減によるコスト低減効果に留まらない。プリント基板に部品を実装する際には、ＩＣやチップ抵抗のような面付け部品は実装機を用いて自動的に実装することができ、組立加工費を安価に抑えることができる。これに対してリード部品のように基板に開けた孔を通して実装する挿入部品は、人手をかけて実装することが多く、部品１個当たりの組立加工費は面付け部品の１０倍以上になることが多い。シールドケースも実装機を利用できない挿入部品であって、受信基板の低コスト化を進めるうえで障害となり易い。
【００２３】
従来のシールドケース１０を、図５のように実装する場合は２個の部品を取付ける作業となるが、本実施例のシールドケース１を、図３のように実装する場合は１個の部品を取付ける作業で済むため、受信装置、及び受信基板の製造コストを低減する効果がある。
さらに、受信回路基板２に要するシールドケース１０を取付けるための孔は、図５の従来例においては８個必要であるが、図３の本実施例においては６個とすることができる。回路基板の孔は、部品を配置し結線パターンを設けるうえで障害となるが、本実施例によればこの障害が軽減され、また基板上での部品の実装密度を向上できる効果がある。
【００２４】
以上は、シリコンチューナを２個有する場合の実施例であるが、３個以上有する場合にも同様に本発明を適用することができ、また同様な効果を得ることができる。
図８〜図１０は、本発明の一実施例におけるシールドケースの、図１とは異なる平面展開図である。図８のシールドケース１００はシリコンチューナを３個有する場合、図９のシールドケース１１０はシリコンチューナを４個有する場合の実施形態を示す。いずれも図１の場合と同様の効果を有している。
【００２５】
図１０のシールドケース１２０は他の実施形態と異なり、折り代１２０ａと切欠き１２０ｂを有している。煩雑化を防ぐため、いずれも１箇所のみに番号を付している。これらは、シールドケースを形成した際に隙間が発生して、シールド効果を低下させることのないように設けられている。特に切欠き１２０ｂは、金属板の厚みによる隙間の発生を防止している。
ここまで示した実施形態は一例であって、本発明を限定するものではない。本発明の趣旨に基づきながら異なる実施形態を考えられるが、いずれも本発明の範疇にある。
【符号の説明】
【００２６】
１，１００，１１０，１２０：シールドケース、１２：抜き代、２：受信回路基板、１２０ａ：折り代、１２０ｂ：切欠き。
【図１】
2011254428.tif 000003
【図２】
2011254428.tif 000004
【図３】
2011254428.tif 000005
【図４】
2011254428.tif 000006
【図５】
2011254428.tif 000007
【図６】
2011254428.tif 000008
【図７】
2011254428.tif 000009
【図８】
2011254428.tif 000010
【図９】
2011254428.tif 000011
【図１０】
2011254428.tif 000012
【図１１】
2011254428.tif 000013